(57)【要約】      （修正有）【課題】マスク本体の上縁と使用者の顔との隙間をなくし、繰り返し使用しても隙間の発生を防いで有害粒子や病原菌等の侵入に対するバリヤ効果の高い立体マスクを提供する。【解決手段】左右一対の不織布シート２ａ，２ｂ，２ｃ，２ｄの前縁２１を湾曲状に接合し、前縁を中心に水平断面ほぼ山形に前方へ膨出する形状をなし、使用者の口元および鼻部を覆うマスク本体２と、その左右両側に耳掛け部３，３を備えた立体マスク１において、マスク本体の上縁２３に沿って、使用者の顔の凹凸に合わせて撓み変形可能な塑性を有する線状ないし細帯状の形状保持部材４を設ける。形状保持部材に対応してマスク本体の上縁の裏面に沿って低反発弾性パッド材５を帯状に設け、パッド材５によりマスク本体２の上縁２３と鼻部との隙間を塞いだ。【選択図】図１
0003135320.tif 000002
【実用新案登録請求の範囲】
【請求項１】
左右一対の不織布シートの前縁を湾曲状に接合し、該接合部を中心に水平断面ほぼ山形に前方へ膨出する形状をなし、使用者の口元および鼻部を覆うマスク本体と、該マスク本体の左右両側に耳掛け部を備えた立体マスクにおいて、
上記マスク本体の上縁に沿って、使用者の顔の凹凸に合わせて撓み変形可能な塑性を有する線状ないし細帯状の形状保持部材を設けるとともに、
上記形状保持部材に対応して上記マスク本体の上縁の裏面に沿って、該上縁と上記鼻部との隙間を塞ぐ低反発弾性パッド材を帯状に設けたことを特徴する立体マスク。
【請求項２】
上記形状保持部材を、合成樹脂の線材、または金属芯を埋設した合成樹脂の帯材を用いた請求項１に記載の立体マスク。
【請求項３】
上記低反発弾性パッド材を、厚肉帯状のポリウレタンフォームを用いた請求項１に記載の立体マスク。
【請求項４】
上記マスク本体を、不織布からなる表面シートおよび裏面シートを重ね合わせた２重構造とし、上記表裏の両シート間には上記上縁沿いに延びる通し孔を形成して、該通し孔に上記形状保持部材を挿通せしめた請求項１または２に記載の立体マスク。
【請求項５】
上記耳掛け部は、上記マスク本体とは別部材からなる環状の紐材を、マスク本体の上記不織布シートの側縁を折り返して形成した上下方向に延びる通し孔に貫通せしめて形成した請求項１ないし３のいずれかに記載の立体マスク。
【考案の詳細な説明】
【技術分野】
【０００１】
本考案は、口元および鼻部を覆う立体マスクに関するものである。
【背景技術】
【０００２】
口元や鼻部を覆うマスクは、矩形状のガーゼや不織布等を複数枚重ね合わせてマスク本体を形成し、該マスク本体の左右両側に環状のゴム紐を取付けた平判マスクに代わって、マスク本体を立体的に形成した立体マスクと呼ばれるものが人気を集めいている(例えば、特許文献1，２参照)。
【０００３】
図４に示すように、この種の立体マスク７は、左右対称に裁断された不織布シート８ａ，８ｂの前縁８１を上下方向に円弧状に結合して水平断面ほぼ山形をなすカップ状のマスク本体８が形成され、マスク本体８の左右両側部に、不織布シートからなる環状の耳掛け部９，９が形成されている。
尚、特許文献１では、マスク本体８を低伸縮性のシート材料で構成する一方、耳掛け部９，９をマスク本体８よりも高伸縮性のシート材料で構成することが提案されている。
また特許文献２では、マスク本体の上縁に沿って、該上縁から折り返してマスク本体内へ向けて突出する襟部を設けることが記載されている。
【特許文献１】特開平７−２７５３８４号公報
【特許文献２】特開２００７−５４３８１号公報
【考案の開示】
【考案が解決しようとする課題】
【０００４】
しかしながら、特許文献１に記載されたように耳掛け部９，９を高伸縮性のシート材料を環状に形成した構造では耳掛け部９，９の伸縮に対する耐久性が充分とは言えず、使い捨てマスクとはいっても１日に数回は使用を繰り返すので、使用を繰り返すうちに次第に耳掛け部９，９が伸びてしまい、顔へのフィット感が低下し、顔とマスク本体９との間に隙間ができる。特に顔の鼻部とマスク本体９の上縁との間に隙間ができる。
特許文献２のように、マスク本体の上縁に襟部を設けたものでも、耳掛け部が伸びてしまい装着性が低下した場合には鼻部とマスク本体の上縁との隙間を塞ぐのには不十分で、有害粒子や病原菌等の侵入に対するバリヤ効果が低下する。
そこで本発明は、使用を繰り返してもフィット感がよく、顔との隙間を塞ぐことができバリヤ効果の高い立体マスクを提供することを課題としてなされたものである。
【課題を解決するための手段】
【０００５】
本考案は、左右一対の不織布シートの前縁を湾曲状に接合し、該接合部を中心に水平断面ほぼ山形に前方へ膨出する形状をなし、使用者の口元および鼻部を覆うマスク本体と、該マスク本体の左右両側に耳掛け部を備えた立体マスクにおいて、上記マスク本体の上縁に沿って、使用者の顔の凹凸に合わせて撓み変形可能な塑性を有する線状ないし細帯状の形状保持部材を設けるとともに、上記形状保持部材に対応して上記マスク本体の上縁の裏面に沿って、該上縁と上記鼻部との隙間を塞ぐ低反発弾性パッド材を帯状に設ける（請求項１）。
マスク本体の上縁に形状保持部材を設けたので、使用時にマスク本体の上縁を顔の凹凸に合わせて曲げることで、上縁をその形に保持することができ、顔の凹凸と合わせることができる。更に、マスク本体の上縁裏面に設けた低反発弾性パッド材によりマスク本体上縁と顔との隙間を確実に塞ぐことができる。
【０００６】
上記形状保持部材を、合成樹脂の線材、または金属芯を埋設した合成樹脂の帯材を用いる（請求項２）。
形状保持部材として好適である。
【０００７】
上記低反発弾性パッド材を、厚肉帯状のポリウレタンフォームを用いる（請求項３）。低反発弾性を有するパッド材として好適である。
【０００８】
上記マスク本体を、不織布からなる表面シートおよび裏面シートを重ね合わせた２重構造とし、上記表裏の両シート間には上記上縁沿いに延びる通し孔を形成して、該通し孔に上記形状保持部材を挿通せしめる（請求項４）。
形状保持部材を好適に取付けることができる。
【０００９】
上記耳掛け部は、上記マスク本体とは別部材からなる環状の紐材を、マスク本体の上記不織布シートの側縁を折り返して形成した上下方向に延びる通し孔に貫通せしめて形成する（請求項５）。
耳掛け部として、耐久性のよいゴム紐を用いることができ、これにより繰り返しマスクを利用しても、顔へのマスク本体のフィット感が損なわれず隙間の発生ない。
【考案を実施するための最良の形態】
【００１０】
図１、図２および図３（Ａ）に示すように、立体マスク１は、使用者の口元と鼻部を被覆するマスク本体２と、マスク本体２の左右両側縁に設けた紐材からなる環状の耳掛け部３，３とを備えている。
【００１１】
マスク本体２は、左右対称に裁断した４枚の合成樹脂の不織布シート２ａ，２ｂ，２ｃ，２ｄの前縁２１を重ね合わせ、重ね合わせた前縁２１の上下中間部が前方へ膨出する縦方向湾曲状に熱溶着により接合してある。これによりマスク本体２は、使用時にマスク本体２の右半部の側端と左半部の側端をそれぞれ左右方向に開いて、前縁２１の接合部を中心に前方へ突出する水平断面ほぼ山形で後方へ開口するカップ形状をなすようにしてある。
【００１２】
マスク本体２はその右半部および左半部がそれぞれ、表面シート２ａ，２ｃと裏面シート２ｂ，２ｄとを重ね合わせた２重構造をなす。右半部を構成する表面シート２ａと裏面シート２ｂは、表面シート２ａの側縁２２がこれよりも長く形成した裏面シート２ｂの側端部に重ね合わせて結合してある。また左半部も同様に、表面シート２ｃの側縁２２が裏面シート２ｄの側端部に接合してある。
各シート２ａ，２ｂ，２ｃ，２ｄは伸縮性のない材質を用い、例えばポリプロピレン製やポリエチレン製の不織布が使用してある。
【００１３】
マスク本体２には、前縁２１の接合部で仕切られた左右の上縁２３，２３に沿ってそれぞれ、撓み変形可能な塑性を有する線状ないし細帯状の形状保持部材４が設けてある。マスク本体２の上縁２３は同一構造で、右半部の上縁２３を中心に説明する。
【００１４】
上縁２３には、これに沿って表面シート２ａと裏面シート２ｂとを一線状に接合する接合部２４，２４が上下に間隔をおいて２条形成してあり、これら接合部２４，２４により表裏の両シート２ａ，２ｂ間に、上縁２３に沿って延びる通し孔２５が設けてある。通し孔２５の両側の端末はマスク本体２の前縁２１の接合部および側縁２２の接合部により閉じられている。そして、通し孔２５には、側縁２２の接合部寄りの位置に裏面シート２ｂを縦方向に切れ目を入れて通し孔２５内に貫通する挿入部２５１が形成してある。
【００１５】
形状保持部材４は、針金のように自由に折り曲げることができ、かつ、折り曲げた形状を保つことが可能なポリエチレン製の線材、または針金等の金属芯が埋設されたポリエチレン製の帯材で構成してあり、その長さは通し孔２５の長さよりも若干短く設定してある。
形状保持部材４は、挿通部２５１から通し孔２５内へ挿入してマスク本体２の右半部の上縁２３に沿って設けてある。左半部の上縁２３もこれと同様に形成してある。
【００１６】
またマスク本体２の上縁２３にはその裏面に、形状保持部材４に対応してこれとほぼ平行に上縁２３に沿って延びるパッド部材５が設けてある。パッド材５は低反発の弾性を有する例えばポリウレタンフォーム等からなる断面角形で厚肉の帯状に形成してある。パッド材５の厚みは７mmないし１０mmとしてある。
パッド材５はその前面をマスク本体２の裏面シート２ｂの上縁に重ね合わせて接着し、マスク本体２の後方へ張り出すように設けてある。
なお、パッド材５はマスク本体２の右半部の上縁の側端から左半部の上縁の側端にかけて一連に設けてある。
またパッド材５は、形状保持部材４をマスク本体２の上縁２３の通し孔２５へ挿入した後に、通し孔２５の挿入部２５１を塞ぐように上縁２３の裏面に接着することで、形状保持部材４の通し孔２５からの飛び出しを防ぐ。
【００１７】
マスク本体２の左右両側縁には、左右の両裏面シート２ｂ、２ｄの側縁を折り返すとともに、折り返し端縁を両シート２ｂ，２ｄの一般部の側縁寄りの位置に重ね合わせて接合し、これにより、縦方向に貫通する通し孔２６，２６が形成してある。
【００１８】
そして左右の通し孔２６，２６にはそれぞれゴム紐３０，３０を貫通せしめるとともに、各ゴム紐３０，３０をそれぞれ環状に設けて左右の耳掛け部３，３が形成してある。
【００１９】
本実施形態の立体マスク１によれば、図３（Ｂ）に示すように使用時に、マスク本体２の左右の上縁２３，２３をそれぞれ、使用者の顔の鼻部６０とその両脇の頬部６１との間の凹面部に合わせて内側へ浅くほぼく字状に曲げることで、形状保持部材４により上縁２３，２３が上記曲げ形状に保持される。この状態で、マスク本体２の上縁２３，２３の裏面に設けたパッド材５が、マスク本体２の上縁２３，２３と使用者の鼻部６０から両頬部６１に掛けての凹部との間の隙間の形状に合致して両者間の隙間を塞ぐようにて潰れ変形し、更に、パッド材５が低反発弾性であるので、使用中はパッド材５がその形状を維持して上記隙間を確実に塞ぐ。またパッド材５によりマスク本体２の上縁２３，２３の使用者の顔へのフィット感が良好である。
【００２０】
本実施形態の立体マスク１は耳掛け部３，３を、従来のように伸縮性の不織布シートではなく、伸縮に対する耐久性のよいゴム紐３０を用いたので、繰り返し使用しても伸びてしまうことがなく、マスク本体２の上縁２３，２３の顔へのフィット感を維持でき、隙間の発生を防いで有害粒子や病原菌等の侵入に対する高いバリヤ効果を発揮する。
マスク本体２はその左右両側に通し孔２６，２６を設けてこれにゴム紐３０を挿通せしめるようにしたので、両者の連結も簡単にできる。また耳掛け部３，３としてはゴム紐に限らず、伸縮性のない紐材を用いてもよい。この場合、単に上記紐材をマスク本体２の両側の通し孔２６，２６に通しておき、使用時に紐材の両端を結んで環状にして耳に掛けるようにする。
【図面の簡単な説明】
【００２１】
【図１】本考案の立体マスクを示す斜視図である。
【図２】図１のII−II線に沿う位置での垂直断面図である。
【図３】図３（Ａ）は図１のIII−III線に沿う位置での水平断面図、図３（Ｂ）は図３（Ａ）対応して使用状態を示す断面図である。
【図４】従来の立体マスクを示す斜視図である。
【符号の説明】
【００２２】
１  立体マスク
２  マスク本体
２ａ，２ｃ  表面シート(不織布シート)
２ｂ，２ｄ  裏面シート(不織布シート)
２１  前縁
２３  上縁
２５  上縁の通し孔
２６  側縁の通し孔
３  耳掛け部
３０  ゴム紐(紐材)
【図１】
0003135320.tif 000003
【図２】
0003135320.tif 000004
【図３】
0003135320.tif 000005
【図４】
0003135320.tif 000006